(57)【要約】【課題】光テープファイバ芯線の剥離を防止した光ファイバアレイを提供する。【解決手段】少なくとも、光テープファイバ芯線の端末において被覆を除去した光ファイバと、該光ファイバをアレイ状に収容する複数のＶ溝を有するＶ溝部と該Ｖ溝部と段差を有し光テープファイバ芯線の被覆部を載置する搭載部を有するＶ溝基板と、該Ｖ溝部に収容された前記光ファイバを該Ｖ溝部に押しつけて接着剤により該光ファイバを固定する蓋部材と、該蓋部材が光テープファイバ芯線の被覆部を載置する搭載部方向に延びており、前記Ｖ溝部より所定の間隔を持ったところから搭載部側に凸部を有し、前記光テープファイバ芯線の被覆部を前記凸部が跨ぐようにして位置決めする光ファイバアレイとする。【選択図】      図２
2004191747.tif 000002
【特許請求の範囲】
【請求項１】
少なくとも、光テープファイバ芯線の端末において被覆を除去した光ファイバと、該光ファイバをアレイ状に収容する複数のＶ溝を有するＶ溝部と該Ｖ溝部と段差を有し光テープファイバ芯線の被覆部を載置する搭載部を有するＶ溝基板と、該Ｖ溝部に収容された前記光ファイバを該Ｖ溝部に押しつけて接着剤により該光ファイバを固定する蓋部材で構成される光ファイバアレイにおいて、前記蓋部材が光テープファイバ芯線の被覆部を載置する搭載部方向に延びており、前記Ｖ溝部より所定の間隔を持ったところから搭載部側に凸部を有し、前記光テープファイバ芯線の被覆部を前記凸部が跨ぐようにして位置決めすることを特徴とする光ファイバアレイ。
【請求項２】
前記蓋部材の凸部は前記Ｖ溝部より所定の間隔を持ったところに載置され、前記Ｖ溝部と前記蓋部材の凸部間と前記蓋部材の凸部の反対側に接着剤を塗布することを特徴とする請求項１記載の光ファイバアレイ。
【請求項３】
前記Ｖ溝部と前記蓋部材の凸部間に接着剤を塗布するための貫通窓を設けたことを特徴とする請求項２記載の光ファイバアレイ。
【請求項４】
前記蓋部材の凸部の高さが前記Ｖ溝部と光テープファイバ芯線の被覆部を載置する搭載部との段差の高さよりも低いことを特徴とする請求項１、２又は３記載の光ファイバアレイ。
【発明の詳細な説明】
【０００１】
【発明の属する技術分野】
本発明は光ファイバアレイに関するものである。
【０００２】
【従来の技術】
図４は従来の光ファイバアレイの製造方法を示す図で、（ａ）は正面図、（ｂ）は側面図である。Ｖ溝基板１０、Ｖ溝部１０ａ、搭載部１０ｂ、光テープファイバ芯線５、被覆を除去した光ファイバ５ａ、蓋部材１１、Ｖ溝部接着剤１２、搭載部接着剤１３、光テープファイバ芯線被覆部５ｂ、段差１４、Ｖ溝１５である。
【０００３】
従来の光ファイバアレイはＶ溝１５を有するＶ溝部１０ａと段差１４を介してＶ溝部１０ａと一体化されている搭載部１０ｂを有するＶ溝基板１０と、Ｖ溝部１０ａに配置された光ファイバ５ａを押しつけ固定する蓋部材１１より構成される。
【０００４】
光ファイバアレイの組立方法を説明する。光テープファイバ芯線５の被覆部５ｂを除去した光ファイバ５ａをＶ溝部１０ａにアレイ状に配置する。その後蓋部材１１をＶ溝部１０ａに被せ、Ｖ溝部接着剤１２を隙間から流し込み接着固定する。また光テープファイバ芯線５の被覆部５ｂが搭載される搭載部１０ｂにも搭載部接着剤１３が塗布され搭載部１０ｂと光テープファイバ芯線５の被覆部５ｂが接着固定される。Ｖ溝部接着剤１２は紫外線硬化型又は熱硬化型あるいは紫外線硬化と熱硬化を併用したエポキシ系のものが用いられる。また、光テープファイバ芯線５の被覆部５ｂを固定する搭載部接着剤１３は光テープファイバ芯線５に生じる応力を吸収させるため、Ｖ溝部１０ａで使うＶ溝部接着剤１２よりも軟らかい材質のものが用いられる。
【０００５】
【発明が解決しようとする課題】
上記のような構造の光ファイバアレイの場合、Ｖ溝部１０ａと搭載部１０ｂの境にある段差部１４の周辺の光ファイバに応力は集中する。なぜならＶ溝部１０ａと搭載部１０ｂでは光ファイバの固定構造に違いがあるため線膨張係数に差が生じるためである。このため応力を吸収させる柔らかい弾力性のある材質の搭載部接着剤１３を用いる。しかし一般的に柔らかい弾力性のある接着剤は流動性が高く、表面張力が小さい。その為、せっかく塗布した接着剤が十分に段差部１４周辺の光ファイバに付着せずそのほとんどが被覆部５ｂとＶ溝基板１０との間に浸透したり、または搭載部１０ｂ側面から流れだしてしまう。その結果、段差部１４周辺の光ファイバに接着剤を付着させることは難しく、光テープファイバ芯線５に生じる応力を接着剤１３に吸収させることが十分にできない。その為外部の温度変動の影響で光ファイバの断線という問題が生じることがある。
【０００６】
【課題を解決するための手段】
少なくとも、光テープファイバ芯線の端末において被覆を除去した光ファイバと、該光ファイバをアレイ状に収容する複数のＶ溝を有するＶ溝部と該Ｖ溝部と段差を有し光テープファイバ芯線の被覆部を載置する搭載部を有するＶ溝基板と、該Ｖ溝部に収容された前記光ファイバを該Ｖ溝部に押しつけて接着剤により該光ファイバを固定する蓋部材と、該蓋部材が光テープファイバ芯線の被覆部を載置する搭載部方向に延びており、前記Ｖ溝部より所定の間隔を持ったところから搭載部側に凸部を有し、前記光テープファイバ芯線の被覆部を前記凸部が跨ぐようにして位置決めすることを特徴とする光ファイバアレイとする。
【０００７】
前記蓋部材の凸部は前記搭載部の中間部に載置され、前記Ｖ溝部と前記蓋部材の凸部間には接着剤を塗布し、前記蓋部材の凸部の反対側にも同様の接着剤を塗布する構成とする。
【０００８】
前記Ｖ溝部と前記蓋部材の凸部間に接着剤を塗布するための貫通窓を設ける構成とする。
【０００９】
前記蓋部材の凸部の高さが前記Ｖ溝部と光テープファイバ芯線の被覆部を載置する搭載部との段差の高さよりも低い構成とする。
【００１０】
【発明の実施の形態】
以下に本発明の実施形態を図１から図３において説明する。図１は本発明の光ファイバアレイを示す分解図である。図２は本発明の光ファイバアレイを示す斜視図である。図３は本発明の光ファイバアレイを示す図で（ａ）は正面図、（ｂ）は上面図、（ｃ）は右側面図である。
【００１１】
本発明の光ファイバアレイについて図１を参照して説明する。
複数の平行なＶ溝２ａが形成されたＶ溝部２に光テープファイバ芯線５の被覆部５ｂを除去した光ファイバ５ａをアレイ状に整列配置する。次に蓋部材４をＶ溝基板１の上から覆い一定の加圧をしながら光ファイバ５ａを押さえる。該蓋部材４は光テープファイバ芯線５の被覆部５ｂを載置する搭載部３方向に延びており、前記Ｖ溝部２より１〜２ｍｍの間隔を持ったところから搭載部３側に凸部４ａを有し、前記光テープファイバ芯線５の被覆部５ｂを前記凸部４ａが跨ぐようにして位置決めする。この時、凸部４ａのＶ溝部２よりの位置は、塗布した接着剤が十分に光ファイバを覆うことを考慮した場合、１〜２ｍｍの位置が最適である。また、Ｖ溝部２の延長上にある搭載部３には段差３ａが形成されており、その深さは光テープファイバ芯線５の被覆部５ｂと被覆を除去した外径寸法の差により光ファイバ５ａをＶ溝基板１上に置いたとき光軸が曲がることのないようにＶ溝部２の高さより低くなっている。
【００１２】
次にＶ溝基板１のＶ溝部２と光ファイバ５ａを上面から押さえる蓋部材４の隙間には図３に示すように紫外線硬化接着剤８を浸透させる。更に光テープファイバ芯線５の被覆部５ｂを搭載している搭載部３に紫外線硬化接着剤９を塗布する。この時、Ｖ溝部２の端部と蓋部材４の凸部４ａの間には軟質の紫外線硬化接着剤９ａを用いるのが好ましい。これはＶ溝基板１が温度変化等により膨張収縮しても軟質の接着剤であれば光テープファイバ芯線５に生じる応力集中を緩和させ光ファイバ５ａの断線等の防止ができるためである。温度サイクル試験を実施し実験したところ硬度４０（ＪＩＳ−Ｋ−６３０１）以下の軟質接着剤が好ましい。更に蓋部材４の凸部４ａを境に軟質の紫外線硬化接着剤９ａを塗布した側とは反対側にも同様の軟質接着剤９ｂを塗布する。
【００１３】
また、Ｖ溝部２の端部と蓋部材４の凸部４ａの間に軟質の紫外線硬化接着剤９ａを塗布しやすくするため、蓋部材４に塗布用の貫通窓４ｂを設けると作業がやりやすい。更に蓋部材４の凸部４ａで光ファイバの被覆部５ｂを跨ぐように固定する際に凸部４ａが完全にＶ溝基板１の光ファイバ被覆部５ｂの搭載部３と密着せず、若干隙間６ができるように凸部４ａの高さを設計する。これは軟質の紫外線硬化接着剤９を塗布したときに接着剤が蓋部材４の凸部４ａとＶ溝基板１の光ファイバ被覆部５ｂの隙間６に浸透して接着させて接着強度を更に向上させることを目的としている。実際の実験では５０〜１００μmの隙間６を保持するのがよい。
【００１４】
紫外線硬化接着剤９に紫外線を照射して硬化させることにより、光テープファイバ芯線５とＶ溝基板１が固定される。その後、光ファイバアレイ先端を研磨して完成となる。
【００１５】
【発明の効果】
以上、本発明によれば次のような効果を発揮する。
【００１６】
光テープファイバ芯線の被覆部を搭載する搭載部に光テープファイバ芯線を跨ぐように固定部材を設けたことにより、光テープファイバ芯線とＶ溝基板の接着固定が強固になる。
【００１７】
蓋部材に凸部を設けたことにより、軟質接着剤を確実に光ファイバの根本付近に塗布することができる。これにより光ファイバへの応力集中を防ぐことができる。
【００１８】
Ｖ溝部と蓋部材の凸部の間に貫通穴を設けたことにより接着剤を塗布する作業が容易となり、確実に接着剤を光ファイバに塗布する事ができる。
【００１９】
蓋部材の凸部の高さがＶ溝部と光テープファイバ芯線の被覆部を載置する搭載部との段差の高さよりも低くする事により蓋部材とＶ溝基板との接着力を更に向上させることが可能となった。
【図面の簡単な説明】
【図１】本発明の光ファイバアレイを示す分解図。
【図２】本発明の光ファイバアレイを示す斜視図。
【図３】本発明の光ファイバアレイを示す図で、（ａ）は正面図、（ｂ）は上面図、（ｃ）は右側面図。
【図４】従来の光ファイバアレイの製造方法を示す図で、（ａ）は正面図、（ｂ）は側面図。
【符号の説明】
１    Ｖ溝基板
２    Ｖ溝部
２ａ  Ｖ溝
３    搭載部
３ａ  段差
４    蓋部材
４ａ  凸部
４ｂ  貫通穴
５    光テープファイバ芯線
５ａ  光ファイバ
５ｂ  被覆部
６    隙間
８    紫外線硬化接着剤
９    紫外線硬化接着剤
９ａ  軟質の紫外線硬化接着剤
９ｂ  軟質の紫外線硬化接着剤
１０    Ｖ溝基板
１０ａ  Ｖ溝部
１０ｂ  搭載部
１１    蓋部材
１２    Ｖ溝部接着剤
１３    搭載部接着剤
１４    段差部
１５    Ｖ溝
【図１】
2004191747.tif 000003
【図２】
2004191747.tif 000004
【図３】
2004191747.tif 000005
【図４】
2004191747.tif 000006